(57)【要約】【課題】ＣＩＳのガラス面と、ガラス面に対抗するローラの間の距離よりも厚い原稿でも、ＣＩＳのガラス面の傷を防ぎジャムを起こすことなく原稿を搬送させる原稿読取装置を提供する。【解決手段】原稿の表面を読み取る第一画像読取手段と、前記原稿の裏面を読み取る第二画像読取手段と、前記原稿を前記第一画像読取手段の画像読取位置に搬送した後、前記第二画像読取手段の画像読取位置に搬送する第１の原稿搬送路を備え、前記原稿の厚さを検知する厚さ検知手段と、前記原稿を前記第一画像読取手段の画像読取位置に搬送した後、前記第二画像読取手段の画像読取位置に搬送しないで前記原稿を排出部に排出する第２の原稿搬送路を更に備え、前記原稿の厚さが所定の値以下のときは、前記第１の原稿搬送路を搬送させ、前記原稿の厚さが所定の値より大きいときは、前記第２の原稿搬送路を搬送させる搬送路切替機構を備える。【選択図】    図１
2006261847.tif 000002
【特許請求の範囲】
【請求項１】
原稿の表面を読み取る第一画像読取手段と、前記原稿の裏面を読み取る第二画像読取手段と、前記原稿を前記第一画像読取手段の画像読取位置に搬送した後、前記第二画像読取手段の画像読取位置に搬送する第１の原稿搬送路を備えた原稿読取装置であって、
前記原稿の厚さを検知する厚さ検知手段と、前記原稿を前記第一画像読取手段の画像読取位置に搬送した後、前記第二画像読取手段の画像読取位置に搬送しないで前記原稿を排出部に排出する第２の原稿搬送路を更に備え、
前記原稿の厚さが所定の値以下のときは、前記第１の原稿搬送路を搬送させ、前記原稿の厚さが所定の値より大きいときは、前記第２の原稿搬送路を搬送させる搬送路切替機構を備えたことを特徴とする原稿読取装置。
【請求項２】
前記第１の原稿搬送路による排出部と前記第２の原稿搬送路による排出部が同一であることを特徴とする請求項１記載の原稿読取装置。
【請求項３】
前記原稿の片面を読み取る片面読取モードと、前記原稿の両面を読み取る両面読取モードを備え、前記片面読取モード時は、前記第２の原稿搬送路を搬送させることを特徴とする請求項２記載の原稿読取装置。
【発明の詳細な説明】
【技術分野】
【０００１】
本発明は、原稿の表面を読み取る第一画像読取手段と、前記原稿の裏面を実質的に同時に読み取る第二画像読取手段と、前記原稿を前記第一及び第二画像読取手段による画像読取位置に搬送する原稿搬送機構を備えた原稿読取装置に関する。
【背景技術】
【０００２】
原稿の画像を読み取るスキャナ機能を有する原稿読取装置において、本体部の上部に設けられた原稿台に向けて原稿を搬送するための自動原稿給紙装置（Auto document feeder 以下、ＡＤＦともいう）を備えたものがある。この種の原稿読取装置では、ＡＤＦは、原稿台に対向して配置されており、原稿は、原稿台上の所定の原稿読取位置に搬送され、原稿台の内側に設けられた原稿読取部としてのスキャナによって読み取られる。
【０００３】
そして、この種の従来の原稿読取装置において、ＡＤＦ内にスキャナとは別の原稿読取部が設けられたものが既に知られている。この原稿読取部は、一般に、密着型イメージセンサ（Contact image sensor 以下、ＣＩＳ）で構成されるとともにスキャナで読み取ら
れる原稿の面と逆側の面を読み取るよう配置されており、これにより、ＡＤＦ内で原稿の反転動作を行うことなく両面の原稿読取を行えるようになっている。
【０００４】
ところで、ＣＩＳはレンズの構成上被写界深度が浅くなってしまうため、ＣＩＳに対抗する原稿を搬送するローラとＣＩＳの間の原稿が搬送される隙間は、ＣＩＳの被写界深度の距離以下に設定されている。この被写界深度は一般に０．４５ｍｍ程度であり、従ってＣＩＳとローラ間距離は０．４５ｍｍ程度に設定される。このため、原稿の厚さが０．４５ｍｍよりも厚いものが搬送されると、ＣＩＳのガラス面に傷が付く恐れや、原稿が詰まってしまう恐れがある。
【０００５】
一方、原稿の厚さを検出し、この厚さが基準値を超えると原稿送りを停止する装置が提案されている。（特許文献１）
また、原稿の排紙方向を機械全面側と背面側に切替可能とし、原稿の厚さを検出して、原稿の厚さが所定値以上の時は原稿のジャムを防ぐために機械背面に排出する装置が提案されている。（特許文献２）
【特許文献１】特開２０００−２５５８３０号公報
【特許文献２】特開平１１−１２７３０１号公報
【発明の開示】
【発明が解決しようとする課題】
【０００６】
しかし、前記原稿送りを停止する構成では、ＣＩＳの傷は防げるが、原稿は途中で停止してしまい、これを取り出す必要があり、また表面の読み取りのみを行おうとしてもできなくなってしまう。
【０００７】
原稿の排紙部を２つ設け原稿の厚さにより別々の排紙部に排紙する構成では、排紙部を２つ設けなければならず、原稿の取り出しも２箇所から行い、その原稿の順番も乱れたものとなってしまう。
【０００８】
本発明は、上述の従来欠点に鑑み、ＣＩＳのガラス面と、ガラス面に対抗するローラの間の距離よりも厚い原稿でも、ＣＩＳのガラス面の傷を防ぎジャムを起こすことなく原稿を搬送させる原稿読取装置を提供する点にある。
【課題を解決するための手段】
【０００９】
上述の目的を達成するため、本発明による原稿読取装置の第一の特徴構成は、特許請求の範囲の書類の請求項１に記載した通り、原稿の表面を読み取る第一画像読取手段と、前記原稿の裏面を読み取る第二画像読取手段と、前記原稿を前記第一画像読取手段の画像読取位置に搬送した後、前記第二画像読取手段の画像読取位置に搬送する第１の原稿搬送路を備えた原稿読取装置であって、
前記原稿の厚さを検知する厚さ検知手段と、前記原稿を前記第一画像読取手段の画像読取位置に搬送した後、前記第二画像読取手段の画像読取位置に搬送しないで前記原稿を排出部に排出する第２の原稿搬送路を更に備え、
前記原稿の厚さが所定の値以下のときは、前記第１の原稿搬送路を搬送させ、前記原稿の厚さが所定の値より大きいときは、前記第２の原稿搬送路を搬送させる搬送路切替機構を備えたことを特徴とする。
【００１０】
上述の構成によれば、原稿の厚さが厚いときでも、第一画像読取手段の画像読取位置に搬送して表面を読み取った後、第二画像読取手段（ＣＩＳ）の画像読取位置に搬送しないで原稿を排出部に排出するので、原稿が厚くてもＣＩＳのガラス面を傷つけることなく排出部へ排出できる。
【００１１】
同第二の特徴構成は、同請求項２に記載した通り、上述した第一の特徴構成に加えて、
前記第１の原稿搬送路による排出部と前記第２の原稿搬送路による排出部が同一であることを特徴とする。
【００１２】
上述の構成によれば、原稿が複数あり各原稿の厚さが不揃いであっても原稿が設置された順番で同じ排出部に排出されるようになるのである。
【００１３】
同第三の特徴構成は、同請求項３に記載した通り、上述した第二の特徴構成に加えて、
前記原稿の片面を読み取る片面読取モードと、前記原稿の両面を読み取る両面読取モードを備え、前記片面読取モード時は、前記第２の原稿搬送路を搬送させることを特徴とする。
【００１４】
上述の構成によれば、原稿の裏面を読み取るＣＩＳを使用する必要の無い、片面原稿を読み取るときには、ＣＩＳのガラス面を原稿が搬送されないため、より傷の付く恐れがなくなる。
【発明の効果】
【００１５】
以上説明した通り、本発明によれば、ＣＩＳのガラス面と、ガラス面に対抗するローラの間の距離よりも厚い原稿でも、ＣＩＳのガラス面の傷を防ぎジャムを起こすことなく原稿を搬送させる原稿読取装置を提供できる。
【発明を実施するための最良の形態】
【００１６】
以下、本発明による原稿読取装置が複写機に搭載された場合について説明する。前記複写機は前記原稿読取装置と静電転写方式の画像形成装置（画像形成手段）とから構成され、図１に示すように、原稿読取装置１は原稿Ｄを載置する原稿テーブル２と、原稿を画像読取位置４０に搬送する搬送路３と、原稿を裏面の読み取り位置５０に搬送し読み取った原稿を排出する第１の原稿搬送路と、原稿を画像読取位置４０に搬送後、画像読取位置５０を通過させずに原稿を排出する第２の原稿搬送路と、原稿の表面を読み取る第一画像読取手段４と、原稿の裏面を読み取る第二画像読取手段５と、搬送路切替機構６と、原稿の厚さを検出する厚さ検知手段３９ａ、３９ｂと不図示の操作表示部を備えて構成される。
【００１７】
前記原稿搬送路は、複数の原稿から一枚の原稿を取り出すピックアップローラ３１と、前記ピックアップローラ３１により原稿が重送された場合に一枚に分離する分離ローラ３２と、原稿の厚さを検知する厚さ検知手段３９ａ、３９ｂと、原稿の先端を整えて画像読取位置４０に搬送するレジストローラ３３で構成され、前記第１の搬送路と第２の搬送路を切り替える搬送路切替機構の一部としての分岐爪６と、前記分岐爪６でＣＩＳ５の読み取り位置５０に搬送する搬送路６２と、ＣＩＳ５に対抗する位置に設けられたＣＩＳ対抗ローラ５４と排出ローラ３５で構成される第１の搬送路と、前記分岐爪６でＣＩＳ５の読み取り位置５０に搬送しない搬送路６１と、搬送ローラ３４と排出ローラ３５で構成される第２の搬送路と、排紙された原稿を収容する排紙トレイ３６とで構成される。
【００１８】
前記原稿の厚さを検知する方法としては、特許文献２の方法等が利用でき、厚さ検知手段３９ａ、３９ｂは原稿にスポット光を照射する発光部３９ａと、これと搬送路を挟んで対抗する位置にある、原稿からの透過光を受光する受光部３９ｂとから構成される。原稿の厚さは、前記発光部３９ａから原稿を介して受光部３９ｂで検出された透過光量により検出される。
【００１９】
前記搬送路切替機構の一部としての分岐爪６は、図示しない分岐爪ソレノイド（搬送路切替機構の一部）により切替が可能であり、第１の搬送路と第２の搬送路の切替を行う。
【００２０】
前記第一画像読取手段４は、原稿を照明する第一光源４１と、原稿からの反射光を取り込む第一ミラー４２と、第二ミラー４３と、第三ミラー４４と、前記第三ミラー４４からの光線束をリニアＣＣＤ（第一ＣＣＤ）４６に合焦させるレンズ４８と、画像情報を読み取る第一ＣＣＤ４６を備えて構成され、コンタクトガラス３７上の第一画像読取位置４０で原稿の画像情報を読み取る。
【００２１】
上述の画像読取装置は、原稿載置用のコンタクトガラス３８に原稿が載置されるときには、前記第一光源４１、ミラー４２、４３、４４が原稿の先端側から後端側に走査（副走査）して前記第一画像読取手段４により原稿の画像情報を読取るミラー走査モードで作動し、前記原稿搬送機構３により原稿が搬送されるときには、前記第一光源４１、ミラー４２、４３、４４が図中実線で示された位置に固定され、前記原稿搬送機構３により搬送（副走査）される原稿の画像情報を前記第一画像読取手段４または前記第二画像読取手段５により読取るシートスルーモードで作動するように切替可能に構成されている。
【００２２】
前記第二画像読取手段５は、原稿の幅方向に沿って配置されたセルフォックレンズとセルフォックレンズの上端に配置されたリニアＣＣＤ（第二ＣＣＤ）と原稿を照射する第二光源を備えてなる密着型の読取手段で構成され、前記第二画像読取位置５０で原稿の画像情報を読み取る。ここに、前記第一画像読取手段４と同等の解像度で且つ双方ともカラー読取可能に構成されている。
【００２３】
図２に示すように、前記原稿読取装置の制御部はＣＰＵ７と、前記ＣＰＵ７により実行される制御プログラムや、ＣＩＳ５とＣＩＳ対抗ローラ５４との距離、即ち分岐爪６を制御して原稿を第１搬送路か第２搬送路のどちらの搬送路を搬送させるかを決定するときの基準となる所定の値当が格納されたＲＯＭ８と、ワーキングエリアとして利用されるＲＡＭ９と、上述した各種ローラやミラー等を駆動するモータ等に対する制御信号を出力する駆動信号出力部１０と、前記第一ＣＣＤ４６に対する制御信号を出力する第一画像制御信号出力部４５と、前記第一ＣＣＤ４６の画像情報を補正（シェーディング補正や地肌補正等）する第一補正処理部４７と、前記第二ＣＣＤ５２に対する制御信号を出力する第二画像信号出力部５３と、前記第二ＣＣＤ５２の画像情報を補正（シェーディング補正や地肌補正等）する第二補正処理部５３と、前記分岐爪６を動作する分岐爪ソレノイド６３と、
前記発光部３９ａから原稿を介して受光部３９ｂで検出された透過光量により原稿の厚さを検知する厚さ検知部３９と、操作表示手段１０１からなり、前記ＣＰＵ７のシリアル信号ポートが画像形成手段の制御部１００と接続されている。
【００２４】
前記原稿読取装置１の制御プログラムに基づいてＣＰＵ７は、原稿が原稿テーブル２に載置されたときにはシートスルーモードで動作し、原稿がコンタクトガラス３８に載置されたときにはミラースキャンモードで動作するように切替制御されるように構成されている。また、操作表示手段１０１のユーザからの指示により、片面原稿を読み取る片面読取モードか両面を読み取る両面読み取りモードかが設定される。以下、シートスルーモードで動作する場合の詳細を説明する。
【００２５】
図３にフローチャートを示す。まずユーザは、原稿を原稿テーブル２に載置し、操作表示手段１０１により片面読み取りモードか、両面読み取りモードかを選択する。その後ユーザによりスタートボタンが押されると、ＣＰＵ７は、片面読み取りモードか、両面読み取りモードのどちらが設定されているかを判断し、片面読み取りモードが選択されているとき（ステップＳ１のＮＯ）、１枚目の原稿の読み取りを開始し（ステップＳ２）、分岐爪ソレノイド６３を制御し、分岐爪を第２搬送路に切り替える（ステップＳ３）。原稿は読み取り部４０で表面が読み取られた後、分岐爪６によりＣＩＳ５の読み取り位置５０には搬送されず、第２搬送路６１に搬送され、排出トレイ３６に排出される。全ての原稿が読み取られたかを判断し、まだ原稿があるときは（ステップＳ４のＮＯ）次の原稿の読み取りを開始する（ステップＳ２）。全ての原稿の読み取りを終了するまで読み取りが行われる（ステップＳ４のＹＥＳ）。
両面読み取りモードが選択されているとき（ステップＳ１のＹＥＳ）、１枚目の原稿の読み取りを開始し（ステップＳ５）、分岐爪ソレノイド６３を制御し、分岐爪を第１搬送路に切り替える（ステップＳ６）。その後原稿が厚さ検知部３９に到達すると、原稿の厚さを検出しＲＯＭ８に記憶されている所定の値、例えばＣＩＳ５と対抗ローラ５４の距離と等しい０．４５ｍｍと比較され、所定値以下の時（ステップＳ７のＹＥＳ）は原稿は第１搬送路に搬送され、読み取り位置４０及び５０で表面、裏面が読み取られ（ステップＳ８）、排出トレイ３６に排出される。全ての原稿が読み取られたかを判断し、まだ原稿があるときは（ステップＳ９のＮＯ）次の原稿の読み取りを開始する（ステップＳ５）。全ての原稿の読み取りを終了するまで読み取りが行われる（ステップＳ９のＹＥＳ）。
【００２６】
原稿が厚さ検知部３９に到達し、原稿の厚さを検出しＲＯＭ８に記憶されている所定の値と比較され、所定値より大きい時（ステップＳ７のＮＯ）は、分岐爪ソレノイド６３を制御し、分岐爪を第２搬送路に切り替える（ステップＳ１１）。原稿は読み取り部４０で表面が読み取られた後（ステップＳ１２）、分岐爪６によりＣＩＳ５の読み取り位置５０には搬送されず、第２搬送路６１に搬送され、排出トレイ３６に排出される。全ての原稿が読み取られたかを判断し、まだ原稿があるときは（ステップＳ９のＮＯ）次の原稿の読み取りを開始する（ステップＳ５）。全ての原稿の読み取りを終了するまで読み取りが行われる（ステップＳ９のＹＥＳ）。
【００２７】
このようにして、片面読み取りモード時には、ＣＩＳ５の読み取り位置５０に原稿が搬送されないため、ＣＩＳ５のガラス面を傷つける恐れが無くなる。
【００２８】
また、原稿の厚さがＣＩＳ５のガラス面と対抗ローラ５４の距離よりも大きいときは、ＣＩＳ５の読み取り位置５０に原稿が搬送されないため、ＣＩＳ５のガラス面を傷つける恐れが無くなる。
【００２９】
さらに、原稿は排出トレイ３６に全て排出されるため、原稿が複数あり各原稿の厚さが不揃いであっても原稿が設置された順番で同じ排出部に排出されるようになる。
【００３０】
なお、本発明は以下の態様をとることができる。
【００３１】
本実施形態では、両面読み取りモードで原稿の厚さが所定の値より大きい時に表面のみ読み取り、排出後に次の原稿の読み取りを開始する形態としたが、排出後に操作表示手段１０１に裏面の読み取りができなかったことを表示し、次の原稿をユーザの支持があるまで読み取り開始しない形態としても良い。この場合には、排出された原稿の表裏を逆にして再度読み取らせることにより、原稿の両面を読み取らせることが可能となる。
【図面の簡単な説明】
【００３２】
【図１】原稿読取装置の断面図
【図２】原稿読取装置の制御部のブロック構成図
【図３】フローチャート
【符号の説明】
【００３３】
１：原稿読取装置
３：原稿搬送機構
４：第一画像読取手段
５：第二画像読取手段（ＣＩＳ）
６：分岐爪
３５：排出トレイ
３９：厚さ検知部
６１：第２搬送路
６２：第１搬送路
【図１】
2006261847.tif 000003
【図２】
2006261847.tif 000004
【図３】
2006261847.tif 000005